(57)【要約】      （修正有）【課題】対象者ごとの状態に応じて適切かつ効果的に熱中症予防が可能な、見守りシステムを提供する。【解決手段】見守りシステム１は、見守り対象者７０の周囲環境の温湿度を取得する取得部と、見守り対象者への対応を行うスタッフ８０に携帯される携帯端末４０と、携帯端末から入力された見守り対象者への対応記録を記憶する記憶部２３と、取得された温湿度と、記憶された対応記録と、に基づいて、所定条件を満たすかどうかを判定し、所定条件を満たしていると判定した場合には、見守り対象者に関する警告を通知する制御部を備える管理者端末３０と、を有する。【選択図】図１
2020052806.tif 000002
【特許請求の範囲】
【請求項１】
見守り対象者の周囲環境の温湿度を取得する取得部と、
前記見守り対象者への対応を行うスタッフに携帯される携帯端末と、
前記携帯端末から入力された前記見守り対象者への対応記録を記憶する記憶部と、
前記取得部により取得された温湿度と、前記記憶部により記憶された前記対応記録と、に基づいて、所定条件を満たすかどうかを判定し、前記所定条件を満たしていると判定した場合には、前記見守り対象者に関する警告を通知する制御部と、
を有する見守りシステム。
【請求項２】
見守り対象者の周囲環境の温湿度を測定する温湿度測定部をさらに有し、
前記取得部は、前記温湿度測定部により測定された温湿度を取得する、請求項１に記載の見守りシステム。
【請求項３】
前記見守り対象者の活動量を検出する活動量検出部をさらに有し、
前記取得部は、前記活動量検出部により検出された前記見守り対象者の活動量をさらに取得し、
前記制御部は、前記温湿度、前記対応記録、および前記活動量検出部により検出された前記活動量に基づいて、前記所定条件を満たすかどうかを判断する、請求項１または２に記載の見守りシステム。
【請求項４】
前記対応記録には、前記見守り対象者の水分摂取量、排尿量、排便量、および体温の少なくともいずれかの記録が含まれる、請求項１〜３のいずれか一項に記載の見守りシステム。
【請求項５】
前記警告は、熱中症に関する警告である、請求項１〜４のいずれか一項に記載の見守りシステム。
【請求項６】
前記制御部は、ユーザーの指示に基づいて、前記所定条件を変更する、請求項１〜５のいずれか一項に記載の見守りシステム。
【請求項７】
見守り対象者への対応を行うスタッフに携帯される携帯端末と、取得部と、記憶部と、制御部とを有する見守りシステムの前記制御部により実行されるプログラムであって、
見守り対象者の周囲環境の温湿度を前記取得部により取得する手順（ａ）と、
前記携帯端末から入力された前記見守り対象者への対応記録を前記記憶部に記憶させる手順（ｂ）と、
前記手順（ａ）において取得された温湿度と、前記記憶部により記憶された前記対応記録と、に基づいて、所定条件を満たすかどうかを判定し、前記所定条件を満たしていると判定した場合には、前記見守り対象者に関する警告を通知する手順（ｃ）と、
を有する処理をコンピューターに実行させるための見守りプログラム。
【請求項８】
前記見守りシステムは、前記見守り対象者の活動量を検出する活動量検出部をさらに有し、
前記処理は、前記活動量検出部により検出された前記見守り対象者の活動量を前記取得部により取得する手順（ｄ）をさらに有し、
前記手順（ｃ）は、前記温湿度、前記対応記録、および前記手順（ｄ）において取得された前記活動量に基づいて、前記所定条件を満たすかどうかを判断する、請求項７に記載の見守りプログラム。
【請求項９】
前記対応記録には、前記見守り対象者の水分摂取量、排尿量、排便量、および体温の少なくともいずれかの記録が含まれる、請求項７または８に記載の見守りプログラム。
【請求項１０】
前記警告は、熱中症に関する警告である、請求項９に記載の見守りプログラム。
【請求項１１】
見守り対象者への対応を行うスタッフに携帯される携帯端末と、取得部と、記憶部と、制御部とを有する見守りシステムの前記制御部により行う方法であって、
見守り対象者の周囲環境の温湿度を前記取得部により取得する段階（ａ）と、
前記携帯端末から入力された前記見守り対象者への対応記録を前記記憶部に記憶させる段階（ｂ）と、
前記段階（ａ）において取得された温湿度と、前記記憶部により記憶された前記対応記録と、に基づいて、所定条件を満たすかどうかを判定し、前記所定条件を満たしていると判定した場合には、前記見守り対象者に関する警告を通知する段階（ｃ）と、
を有する見守り方法。
【請求項１２】
前記見守りシステムは、前記見守り対象者の活動量を検出する活動量検出部をさらに有し、
前記活動量検出部により検出された前記見守り対象者の活動量を前記取得部により取得する段階（ｄ）をさらに有し、
前記段階（ｃ）は、前記温湿度、前記対応記録、および前記段階（ｄ）において取得された前記活動量に基づいて、前記所定条件を満たすかどうかを判断する、請求項１１に記載の見守り方法。
【請求項１３】
前記対応記録には、前記見守り対象者の水分摂取量、排尿量、排便量、および体温の少なくともいずれかの記録が含まれる、請求項１１または１２に記載の見守り方法。
【請求項１４】
前記警告は、熱中症に関する警告である、請求項１３に記載の見守り方法。
【発明の詳細な説明】
【技術分野】
【０００１】
本発明は、見守りシステム、見守りプログラム、および見守り方法に関する。
【背景技術】
【０００２】
我が国は、戦後の高度経済成長に伴う生活水準の向上、衛生環境の改善、および医療水準の向上等により、長寿命化が顕著になっている。このため、出生率の低下と相まって、高齢化率が高い高齢化社会になっている。このような高齢化社会では、病気、怪我、および加齢などにより、介護や支援等のケアを必要とする対象者の増加が想定される。
【０００３】
対象者は、自宅、または、病院や老人福祉施設等の施設において、季節による環境の変動等により健康状態が悪化する可能性がある。そのため、対象者の健康状態が悪化する可能性が生じた場合に、介護士や看護師等がすぐに対応できるようにするために、対象者の状態を管理するステムの開発が進められている。
【０００４】
このようなシステムに関連し、下記特許文献１には、次の技術が開示されている。温度センサーおよび湿度センサーで検出された温度および湿度の信号から暑さ指数であるＷＢＧＴ（Ｗｅｔ−Ｂｕｌｂ  Ｇｌｏｂｅ  Ｔｅｍｐｅｒａｔｕｒｅ）値を管理サーバーにおいて算出し、ＷＢＧＴ値が所定値以上になった場合に、熱中症アラートを管理サーバーから監視者の監視端末等に送信する。これにより、熱中症アラートを受信した監視者により監視対象者の居室のエアコンをリモートコントロールして、強制的に冷房運転すること等により監視対象者が熱中症になることを防止できる。
【先行技術文献】
【特許文献】
【０００５】
【特許文献１】特開２０１７−１６８０９８号公報
【発明の概要】
【発明が解決しようとする課題】
【０００６】
しかし、上記先行技術は、対象者の具体的な状態が考慮されずに、ＷＢＧＴ値に基づいて、画一的に熱中症のおそれの有無を判断するため、対象者ごとに、状態に応じて適切かつ効果的に熱中症予防ができないという問題がある。
【０００７】
本発明は、このような問題を解決するためになされたものである。すなわち、対象者ごとの状態に応じて適切かつ効果的に熱中症予防が可能な、見守りシステム、見守りプログラム、および見守り方法を提供することを目的とする。
【課題を解決するための手段】
【０００８】
本発明の上記課題は、以下の手段によって解決される。
【０００９】
（１）見守り対象者の周囲環境の温湿度を取得する取得部と、前記見守り対象者への対応を行うスタッフに携帯される携帯端末と、前記携帯端末から入力された前記見守り対象者への対応記録を記憶する記憶部と、前記取得部により取得された温湿度と、前記記憶部により記憶された前記対応記録と、に基づいて、所定条件を満たすかどうかを判定し、前記所定条件を満たしていると判定した場合には、前記見守り対象者に関する警告を通知する制御部と、を有する見守りシステム。
【００１０】
（２）見守り対象者の周囲環境の温湿度を測定する温湿度測定部をさらに有し、前記取得部は、前記温湿度測定部により測定された温湿度を取得する、上記（１）に記載の見守りシステム。
【００１１】
（３）前記見守り対象者の活動量を検出する活動量検出部をさらに有し、前記取得部は、前記活動量検出部により検出された前記見守り対象者の活動量をさらに取得し、前記制御部は、前記温湿度、前記対応記録、および前記活動量検出部により検出された前記活動量に基づいて、前記所定条件を満たすかどうかを判断する、上記（１）または（２）に記載の見守りシステム。
【００１２】
（４）前記対応記録には、前記見守り対象者の水分摂取量、排尿量、排便量、および体温の少なくともいずれかの記録が含まれる、上記（１）〜（３）のいずれかに記載の見守りシステム。
【００１３】
（５）前記警告は、熱中症に関する警告である、上記（１）〜（４）のいずれかに記載の見守りシステム。
【００１４】
（６）前記制御部は、ユーザーの指示に基づいて、前記所定条件を変更する、上記（１）〜（５）のいずれかに記載の見守りシステム。
【００１５】
（７）見守り対象者への対応を行うスタッフに携帯される携帯端末と、取得部と、記憶部と、制御部とを有する見守りシステムの前記制御部により実行されるプログラムであって、見守り対象者の周囲環境の温湿度を前記取得部により取得する手順（ａ）と、前記携帯端末から入力された前記見守り対象者への対応記録を前記記憶部に記憶させる手順（ｂ）と、前記手順（ａ）において取得された温湿度と、前記記憶部により記憶された前記対応記録と、に基づいて、所定条件を満たすかどうかを判定し、前記所定条件を満たしていると判定した場合には、前記見守り対象者に関する警告を通知する手順（ｃ）と、を有する処理をコンピューターに実行させるための見守りプログラム。
【００１６】
（８）前記見守りシステムは、前記見守り対象者の活動量を検出する活動量検出部をさらに有し、前記処理は、前記活動量検出部により検出された前記見守り対象者の活動量を前記取得部により取得する手順（ｄ）をさらに有し、前記手順（ｃ）は、前記温湿度、前記対応記録、および前記手順（ｄ）において取得された前記活動量に基づいて、前記所定条件を満たすかどうかを判断する、上記（７）に記載の見守りプログラム。
【００１７】
（９）前記対応記録には、前記見守り対象者の水分摂取量、排尿量、排便量、および体温の少なくともいずれかの記録が含まれる、上記（７）または（８）に記載の見守りプログラム。
【００１８】
（１０）前記警告は、熱中症に関する警告である、上記（９）に記載の見守りプログラム。
【００１９】
（１１）見守り対象者への対応を行うスタッフに携帯される携帯端末と、取得部と、記憶部と、制御部とを有する見守りシステムの前記制御部により行う方法であって、見守り対象者の周囲環境の温湿度を前記取得部により取得する段階（ａ）と、前記携帯端末から入力された前記見守り対象者への対応記録を前記記憶部に記憶させる段階（ｂ）と、前記手順（ａ）において取得された温湿度と、前記記憶部により記憶された前記対応記録と、に基づいて、所定条件を満たすかどうかを判定し、前記所定条件を満たしていると判定した場合には、前記見守り対象者に関する警告を通知する段階（ｃ）と、を有する見守り方法。
【００２０】
（１２）前記見守りシステムは、前記見守り対象者の活動量を検出する活動量検出部をさらに有し、前記活動量検出部により検出された前記見守り対象者の活動量を前記取得部により取得する段階（ｄ）をさらに有し、前記段階（ｃ）は、前記温湿度、前記対応記録、および前記段階（ｄ）において取得された前記活動量に基づいて、前記所定条件を満たすかどうかを判断する、上記（１１）に記載の見守り方法。
【００２１】
（１３）前記対応記録には、前記見守り対象者の水分摂取量、排尿量、排便量、および体温の少なくともいずれかの記録が含まれる、上記（１１）または（１２）に記載の見守り方法。
【００２２】
（１４）前記警告は、熱中症に関する警告である、上記（１３）に記載の見守り方法。
【発明の効果】
【００２３】
見守り対象者の周囲環境の温湿度と、見守り対応者への対応記録とに基づいて、所定条件を満たすかどうか判断し、当該所定条件を満たすと判断した場合に、見守り対象者に関する警告を通知する。これにより、見守り対象者ごとに適切かつ効果的に熱中症予防ができる。
【図面の簡単な説明】
【００２４】
【図１】見守りシステムの全体構成を示す図である。
【図２】見守り対象者の部屋のベッド周辺に設置された検出部の例を示す図である。
【図３】検出部のハードウェア構成を示すブロック図である。
【図４】サーバーのハードウェア構成を示すブロック図である。
【図５】熱中症にかかる可能性が高いと判断するための所定条件の例を示す図である。
【図６】管理者端末のハードウェア構成を示すブロック図である。
【図７】スタッフ端末のハードウェア構成を示すブロック図である。
【図８】サーバーの動作を示すフローチャートである。
【図９】熱中症にかかる可能性が高いと判断するための所定条件の例を示す図である。
【図１０】サーバーの動作を示すフローチャートである。
【発明を実施するための形態】
【００２５】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２６】
（第１実施形態）
［全体構成］
図１は見守りシステムの全体構成を示す図であり、図２は見守り対象者（以下、「対象者」と称する）の部屋のベッド周辺に設置された検出部の例を示す図である。
【００２７】
図１に示すように、見守りシステム１は、複数の検出部１０、サーバー２０、管理者端末３０、および１つ以上のスタッフ端末４０を備える。これらは、有線や無線によって、ＬＡＮ（Ｌｏｃａｌ  Ａｒｅａ  Ｎｅｔｗｏｒｋ）、電話網またはデータ通信網等のネットワーク５０を介して、相互に通信可能に接続される。ネットワーク５０は、通信信号を中継するリピーター、ブリッジ、ルーターまたはクロスコネクト等の中継機を備えてもよい。図１に示す例では、検出部１０、サーバー２０、管理者端末３０、およびスタッフ端末４０は、アクセスポイント５１を含む無線ＬＡＮ（例えばＩＥＥＥ８０２．１１の規格に従ったＬＡＮ）や有線ＬＡＮ（例えばＩＥＥＥ８０２．３の規格に従ったＬＡＮ）のネットワーク５０によって、相互に通信可能に接続されている。スタッフ端末４０は、携帯端末を構成する。
【００２８】
見守りシステム１は、対象者７０に応じて適宜な場所に配設される。対象者７０は、例えば、病気や怪我等によって看護を必要とする患者、高齢による身体能力の低下等によって介護を必要とする被介護者、一人暮らしの独居者、または病院施設に入院している患者等である。特に、早期発見および早期対処を可能にする観点から、対象者７０は、例えば異常状態等の所定の不都合な事象がその者に生じた場合に、その発見を必要としている者であり得る。このため、見守りシステム１は、対象者７０の種類に応じて、老人福祉施設、病院、および住戸等の建物に好適に配設される。図１に示す例では、見守りシステム１は、複数の対象者７０が入居する複数の居室（部屋）やナースステーションを含む複数の部屋を備える施設の建物に配置されている。
【００２９】
検出部１０は、対象者７０の観察領域であるそれぞれの居室に配置される。図１に示す例では、４つの検出部１０が対象者７０であるＡさん、Ｂさん、ＣさんおよびＤさんの居室にそれぞれ配置されている。検出部１０の観察領域にはベッド６０が含まれている。対象者７０に対して介護または看護等の対応（例えば、ケア）を行うスタッフ８０は、それぞれ携帯端末であるスタッフ端末４０を持ち歩いている。ただし、見守りシステム１が備える各構成の位置や個数等は、図１に示す例に限定されない。例えば、サーバー２０は、ナースステーションに配置されなくてもよく、ネットワーク５０に接続されている外部のサーバーユニットであってもよい。
【００３０】
［検出部１０］
図３は、検出部のハードウェア構成を示すブロック図である。同図に示すように、検出部１０は、制御部１１、通信部１２、カメラ１３、温湿度測定部１４、および体動センサー１５を備え、これらはバスによって、相互に接続されている。
【００３１】
制御部１１は、ＣＰＵ（Ｃｅｎｔｒａｌ  Ｐｒｏｃｅｓｓｉｎｇ  Ｕｎｉｔ）、およびＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリにより構成され、プログラムに従って検出部１０の各部の制御および演算処理を行う。なお、制御部１１は、メモリとして、さらにＨＤＤ（Ｈａｒｄ  Ｄｉｓｋ  Ｄｒｉｖｅ）を備えてもよい。
【００３２】
通信部１２は、ネットワーク５０を介して、例えば、サーバー２０、管理者端末３０またはスタッフ端末４０等の、他の装置と通信するためのインターフェース回路（例えばＬＡＮカード等）である。
【００３３】
カメラ１３は、例えば居室の天井、または壁の上部に配置され、観察領域として対象者７０のベッド６０を含む領域を撮影し、撮影画像（画像データ）を出力する。以下、カメラ１３により撮影された画像を、単に「撮影画像」とも称する。撮影画像には対象者７０を含む画像が含まれる。撮影画像は、静止画および動画を含む。カメラ１３は近赤外線カメラであるが、これに換えて可視光カメラを用いてもよく、これらを併用してもよい。
【００３４】
制御部１１は、カメラ１３が撮影した撮影画像から、対象者７０の行動を認識する。この認識する行動には、ベッド６０から起き上がる「起床」、ベッド６０から離れる「離床」、ベッド６０から転落する「転落」、および床面等に転倒する「転倒」が含まれる。
【００３５】
制御部１１は、複数の撮影画像（動画像）から画像のシルエット（以下、「人シルエット」と称する）を検出する。人シルエットは、例えば、撮影時刻が前後する画像の差分を抽出する時間差分法により差分が相対的に大きい画素の範囲を抽出することで検出され得る。人シルエットは、撮影画像と背景画像との差分を抽出する背景差分法により検出されてもよい。起床、離床、転倒、転落の別は、検出した人シルエットから対象者７０の姿勢（例えば立位、座位および横臥等）、およびベッド６０等の居室内の設置物との相対的な位置から認識される。例えば、離床は、予め設定された、ベッド６０の４角を頂点とする四角形の任意の辺を人シルエットが横切る幅が増加して２０ｃｍ以上となったことにより認識され得る。また、例えば、起床は、人シルエットの、当該四角形の内部に対する外部の面積の割合が増加して８０％以上となったことにより認識され得る。これらの認識は、制御部１１のＣＰＵが処理するプログラムにより行ってもよく、組み込み型の処理回路により行うようにしてもよい。また、これに限られずサーバー２０側でこれらの認識の全部またはほとんどの処理を行うようにし、制御部１１ではサーバー２０への撮影画像の送信のみを行うようにしてもよい。制御部１１は、いずれかの行動を認識した場合、イベントが発生した旨の通知するイベント通知をサーバー２０等へ送信する。また、制御部１１は、撮影画像をサーバー２０等へ送信する。サーバー２０へは、撮影画像とともに、人シルエットの画像が送信されてもよい。第２実施形態において後述するように、人シルエットに基づいて、居室内における対象者７０の移動の推移を算出できる。なお、イベント通知、撮影画像、および人シルエットの画像には、対象者７０を特定するための情報（以下、「ＩＤ情報」と称する）が含まれている。ＩＤ情報は、例えば、対象者７０の氏名である。
【００３６】
スタッフ８０は、業務に応じた、対象者７０への各種の対応を行う者である。業務には、医療業務、介護業務を含み得る。ここで、スタッフ８０の業務が、対象者７０に対する介護業務である場合に、各イベントに関する対応内容について説明する。イベントとして「起床」を判定し、その判定が所定時間内（施設で設定された起床時間（例えば午前７〜８時））であれば、モーニングケアを行う。このモーニングケアには、洗顔、歯磨き介助、義歯装着、着替え介助等が含まれる。また、「離床」のイベントであれば、車椅子移乗、歩行介助が必要となる場合がある。また、検出部１０が判定したイベント以外の定期的（定時）なイベントとして、飲料、および食事介助、排泄介助、車椅子移乗、歩行介助、体位変換（褥瘡予防）がある。これらの定期的イベントは、ナースコール部（図示せず）等により、定時になるとアラートを発生させるようにしてもよい。なお、飲料、および食事介助、排泄介助において、対象者７０の水分摂取量、排尿量、および排泄量等がスタッフ８０により把握され、後述する対応記録に記録され得る。
【００３７】
ナースコール部は、押しボタン式のスイッチを含み、スイッチが対象者７０によって押されることでナースコールを検出する。ナースコールにはケアコール等が含まれる。押しボタン式のスイッチに換えて、音声マイクによりナースコールを検出してもよい。ナースコール部のスイッチが押された場合、すなわち、ナースコールを検出した場合、制御部１１は、ナースコールがあった旨の通知（ナースコール通知）を、ＩＤ情報を付加してサーバー２０等に送信する。
【００３８】
温湿度測定部１４は、対象者７０の周囲環境の温湿度（気温および湿度）を測定する。温湿度測定部１４は、例えば、対象者７０の居室に設置され得る。温湿度測定部１４は、温度計および湿度計により構成し得る。温度計は、サーミスタを用いた電気抵抗式温度計やバイメタル式温度計を用い得る。湿度計は、電気抵抗式湿度計や静電容量式湿度計等を用い得る。制御部１１は、温湿度測定部１４により測定された温湿度を、ＩＤ情報を付加してサーバー２０へ送信する。
【００３９】
体動センサー１５は、ベッド６０の方向に対しマイクロ波を送受信して対象者７０の体動（例えば呼吸動）によって生じたマイクロ波のドップラシフトを検出する。この体動センサー１５により、対象者７０の呼吸動作に伴う胸部の体動（胸部の上下動）を検出する。対象者７０の胸部の体動における周期の乱れや予め設定された閾値以下である当該胸部の体動における振幅を検知すると、微体動異常であると認識される。制御部１１は、体動センサー１５により検出された、対象者７０の体動の検出データを、バイタルデータとして、ＩＤ情報を付加してサーバー２０へ送信し得る。
【００４０】
［サーバー２０］
図４は、サーバーのハードウェア構成を示すブロック図である。
【００４１】
サーバー２０は、制御部２１、通信部２２、および記憶部２３を備える。これらの構成要素は、バスによって、相互に通信可能に接続されている。これらの構成要素の基本構成は、検出部１０の対応する構成要素と同様であるため、重複する説明は省略する。
【００４２】
サーバー２０は、対象者７０用の居室と同じ建物内に設けられてもよく、遠隔地に設けられてネットワークを介して接続可能であってもよい。例えば、サーバー２０は、インターネット等のネットワーク上に配置された複数のサーバーによって仮想的に構築されるクラウドサーバーであってもよい。各構成は、バスによって、相互に通信可能に接続されている。制御部２１は、通信部２２と協働することで取得部として機能する。
【００４３】
制御部２１は、温湿度、撮影画像、バイタルデータ、およびイベント通知を検出部１０から通信部２２を介して受信する。制御部２１は、対象者７０に対する対応記録を、スタッフ端末４０から通信部２２を介して受信する。対応記録には、対象者７０の水分摂取量、排尿量、排便量、および体温の少なくともいずれかが含まれる。排尿量、排便量、および水分摂取量は、それぞれ、対象者７０の過去所定時間以内の排尿量、排便量、および水分摂取量とし得る。所定時間は、任意に設定でき、例えば、８時間、１２時間、または２４時間とし得る。これらの対応記録は、介護記録に含まれ得るため、介護記録の一部を対応記録として利用してもよい。制御部２１は、受信した、温湿度、撮影画像、バイタルデータ、イベント通知、および対応記録を記憶部２３に記憶させる。
【００４４】
記憶部２３は、対象者７０ごとに、温湿度、撮影画像、バイタルデータ、イベント通知、および対応記録（介護記録）を記憶する。すなわち、記憶部２３は、対象者７０の氏名等の対象者７０を特定可能な情報を紐づけて、温湿度、撮影画像、人シルエットの画像、バイタルデータ、イベント通知、および対応記録を記憶する。
【００４５】
制御部２１は、温湿度と対応記録に基づいて、所定条件を満たすかどうか判定する。所定条件は、対象者７０が熱中症にかかる可能性が高いかどうか判断するための判断基準であり、当該所定条件を満たす場合に熱中症にかかる可能性が高くなっているように設定される。制御部２１は、所定条件を記憶部２３に記憶させる。
【００４６】
図５は、熱中症にかかる可能性が高いと判断するための所定条件の例を示す図である。
【００４７】
図５の例においては、所定条件は第１〜第３条件の３つの条件を含む。対応記録に関する条件として、水分摂取量（８時間以内）が設定されている。例えば、気温に関する第１条件において、気温が３５℃以上を満たす場合は、湿度および水分摂取量（対応記録）を問わずに所定条件を満たす。すなわち、この場合は、第１条件のみで所定条件を満たすと判断される。第１条件において、気温が３１℃〜３４℃を満たし、第２条件において、湿度が１０％以上を満たす場合は、水分摂取量を問わずに所定条件を満たす。すなわち、この場合は、第１条件および第２条件により所定条件を満たすと判断される。第１条件において、気温が２８℃〜３０℃を満たし、第２条件において、湿度が３０％以上を満たす場合は、水分摂取量を問わずに所定条件を満たす。また、第１条件において、気温が２４℃〜２７℃を満たし、第２条件において、湿度が８０％以上を満たし、かつ第３条件において、水分摂取量が５０ｃｃ以下を満たす場合は、所定の条件を満たす。
【００４８】
所定条件には、上記の第３条件に代えて、または第３条件とともに、排尿量、排便量、および体温の少なくともいずれかに関する条件がＡＮＤ条件として含まれ得る。この場合、排尿量および排便量は、例えば、過去の平均を「中」として、「大」、「中」、「小」の３段階に区分して、「大」に近づくほど、熱中症になりやすいものとして条件設定し得る。「大」および「小」にそれぞれ該当するための閾値は、実験等により適切に設定し得る。また、体温は、例えば、過去の平均を「中」として、「高」、「中」の２段階に区分して、「高」に該当する場合、熱中症になりやすいものとして条件設定し得る。「高」に該当するための閾値は、実験等により適切に設定し得る。
【００４９】
制御部２１は、温湿度と対応記録に基づいて、所定条件を満たすと判断した場合、対象者７０が熱中症にかかる可能性が高いという警告の通知を、通信部２２を介して管理者端末３０またはスタッフ端末４０へ送信する。警告の通知にはＩＤ情報が含まれており、どの対象者７０が熱中症にかかる可能性が高いのかＩＤ情報により把握できる。
【００５０】
［管理者端末３０］
図６は、管理者端末のハードウェア構成を示すブロック図である。管理者端末３０は、例えば、ＰＣ（Ｐｅｒｓｏｎａｌ  Ｃｏｍｐｕｔｅｒ）により構成され、制御部３１、通信部３２、表示部３３、および入力部３４を備え、これらはバスにより相互に接続される。これらの構成要素の基本構成は、検出部１０の対応する構成要素と同様であるため、重複する説明は省略する。管理者端末３０は、管理者９０用の端末として用いられる。管理者９０は、例えば、見守りシステム１のシステム管理者、またはスタッフ８０を統括するマネージャーである。
【００５１】
表示部３３は、例えば液晶ディスプレイであり、各種情報を表示する。
【００５２】
入力部３４は、キーボード、テンキー、マウス等を備えており、各種情報の入力を行う。
【００５３】
制御部３１は、通信部３２を介して受信した、警告の通知を、ＩＤ情報とともに表示部３３に表示させる。また、制御部３１は、通信部３２を介して受信した、撮影画像、バイタルデータ、イベント通知、および対応記録等を、ＩＤ情報とともに表示部３３に表示させる。
【００５４】
制御部３１は、入力部３４を介して、ユーザーである管理者９０の指示を受け付け、当該指示に基づいてサーバー２０の記憶部２３に記憶された所定条件を設定および変更する。所定条件を変更する指示とは、例えば、図５に示す所定条件おいて、気温に関する第１条件において、「第１条件において、気温が３１℃〜３４℃を満たし、第２条件において、湿度が１０％以上を満たす場合は、水分摂取量を問わずに所定条件を満たす」という所定条件を、「第１条件において、気温が３１℃〜３４℃を満たし、第２条件において、湿度が５％以上を満たす場合は、水分摂取量を問わずに所定条件を満たす」に変更すること等が考えられる。
【００５５】
（スタッフ端末４０）
図７は、スタッフ端末のハードウェア構成を示すブロック図である。スタッフ端末４０は、例えば、タブレット型コンピューター、スマートフォンまたは携帯電話等の、持ち運び可能な通信端末機器によって構成できる。スタッフ端末４０は、制御部４１、無線通信部４２、表示部４３、入力部４４、および音声入出力部４５を備え、これらはバスにより相互に接続される。これらの構成要素の基本構成は、検出部１０の対応する構成要素と同様であるため、重複する説明は省略する。
【００５６】
無線通信部４２は、Ｗｉ−Ｆｉ、Ｂｌｕｅｔｏｏｔｈ（登録商標）等の規格を用いた無線通信を各装置との間で行う。各装置との無線通信は、アクセスポイント５１を経由して、または直接的に行われる。
【００５７】
表示部４３、および入力部４４は、タッチパネルであり、液晶等で構成される表示部４３の表示面に、入力部４４としてのタッチセンサーを重畳させたものである。表示部４３、入力部４４によって、スタッフ８０に対して、各種情報や各種指示が表示される。また、表示部４３、入力部４４によって、イベント通知を表示した操作画面を表示したり、操作画面を通じて、対応記録の入力や、イベントへの対応の受諾の応答の入力等の各種の操作を受け付けたりする。
【００５８】
音声入出力部４５は、例えばスピーカーとマイクであり、無線通信部４２を介して他のスタッフ端末４０との間でスタッフ８０による音声通話を可能にする。
【００５９】
制御部４１は、入力部４４において入力された対応記録を、無線通信部４２を介して、サーバー２０等へ送信する。対応記録には、ＩＤ情報が付加される。
【００６０】
上述した、検出部１０、サーバー２０、管理者端末３０、およびスタッフ端末４０は、上記の構成要素以外の構成要素を含んでもよく、あるいは、上記の構成要素のうちの一部を含まなくてもよい。
【００６１】
見守りシステムにおけるサーバー２０の動作について説明する。
【００６２】
図８は、サーバーの動作を示すフローチャートである。本フローチャートは、サーバー２０の記憶部２３に記憶されたプログラムに従い、制御部２１により実行され得る。
【００６３】
制御部２１は、スタッフ端末４０から受信した対応記録を、当該対応記録に付加された、ＩＤ情報と紐づけて記憶部２３に記憶させる（Ｓ１０１）。
【００６４】
制御部２１は、検出部１０から温湿度を受信することで取得する（Ｓ１０２）。制御部２１は、受信した温湿度に付加された、ＩＤ情報と紐づけて、温湿度を記憶部２３に記憶させる。
【００６５】
制御部２１は、管理者端末３０において管理者９０により入力される、所定条件を変更する指示を、管理者端末３０から受信したかどうか判断する（Ｓ１０３）。所定条件を変更する指示を、管理者端末３０から受信していないと判断された場合は（Ｓ１０３：ＮＯ）、ステップＳ１０５へ移行する。
【００６６】
制御部２１は、所定条件を変更する指示を、管理者端末３０から受信したと判断した場合は（Ｓ１０３：ＹＥＳ）、指示に基づいて所定条件を変更し、変更後の所定条件をサーバー２０へ送信して記憶部２３に記憶された所定条件を変更後の所定条件に更新する。
【００６７】
制御部２１は、サーバー２０から、現在設定されている所定条件を受信し、温湿度と対応記録に基づいて、所定条件を満たすかどうか判定する（Ｓ１０５）。制御部２１は、所定条件を満たさないと判断した場合は（Ｓ１０５：ＮＯ）、処理を終了する。
【００６８】
制御部２１は、所定条件を満たすと判断した場合は（Ｓ１０５：ＹＥＳ）、対象者７０が熱中症にかかる可能性が高いという警告の通知を、管理者端末３０またはスタッフ端末４０へ送信する（Ｓ１０６）。
【００６９】
（第２実施形態）
本発明の第２実施形態について説明する。本実施形態が第１実施形態と異なる点は次の点である。第１実施形態は、温湿度と対応記録に基づいて所定条件を満たすかどうか判定し、所定条件を満たす場合に警告の通知をする。一方、本実施形態は、温湿度、対応記録、および対象者７０の活動量に基づいて所定条件を満たすかどうか判定し、所定条件を満たす場合に警告の通知をする点である。それ以外の点は、第１実施形態と同様であるため、重複する説明は、省略または簡略化する。
【００７０】
サーバー２０の制御部２１は、検出部１０から人シルエットの画像を受信する。制御部２１は、人シルエットの画像に基づいて、居室内における対象者７０の移動の推移を算出する。対象者７０の移動の推移は、例えば、人シルエットの重心の推移（単位時間ごとの移動）として算出され得る。制御部２１は、対象者７０の移動の推移に基づいて対象者７０の移動量を算出し、対応記録等に記録された対象者７０の体重等を考慮し、対象者７０の過去所定時間以内の活動量（消費カロリー）を算出する。所定時間は、例えば２４時間とし得る。なお、制御部２１は、対象者７０に装着させた、加速度センサーを備える万歩計（登録商標）等のウェアラブルデバイス（図示せず）により計測された対象者７０の歩数等のデータを当該ウェアラブルデバイスから受信し、当該データに基づいて対象者７０の活動量を算出してもよい。また、居室外における対象者７０の移動の推移は、例えば、ビーコンを用いた既知の位置情報検知方法を利用して対象者７０の位置情報を検知し、検知した位置情報に基づいて算出し得る。制御部２１は、検出部１０とともに活動量検出部を構成する。
【００７１】
図９は、熱中症にかかる可能性が高いと判断するための所定条件の例を示す図である。
【００７２】
図９の例においては、所定条件は第１〜第４条件の４つの条件を含む。所定条件には、第４条件として対象者７０の過去所定時間（２４時間）以内の活動量が含まれる。例えば、気温に関する第１条件において、気温が３５℃以上を満たす場合は、湿度、水分摂取量（８時間以内）、および活動量を問わずに所定条件を満たす。すなわち、この場合は、第１条件のみで所定条件を満たすと判断される。また、例えば、第１条件において、気温が３１℃〜３４℃を満たし、第２条件において、湿度が５％以上を満たし、第３条件において、水分摂取量が２００ｃｃ以下を満たし、かつ第４条件において、活動量が２００ｃａｌ以上を満たす場合は、所定の条件を満たす。
【００７３】
図１０は、サーバーの動作を示すフローチャートである。本フローチャートは、サーバー２０の記憶部２３に記憶されたプログラムに従い、制御部２１により実行され得る。
【００７４】
制御部２１は、スタッフ端末４０から受信した対応記録を、当該対応記録に付加された、ＩＤ情報と紐づけて記憶部２３に記憶させる（Ｓ２０１）。
【００７５】
制御部２１は、検出部１０から温湿度を受信することで取得する（Ｓ２０２）。制御部２１は、受信した温湿度に付加された、ＩＤ情報と紐づけて、温湿度を記憶部２３に記憶させる。
【００７６】
制御部２１は、対象者７０の活動量を、検出部１０から受信した人シルエットの画像、および対象者７０の体重等に基づいて算出することで取得する（Ｓ２０３）。
【００７７】
制御部２１は、管理者端末３０において管理者９０により入力される、所定条件を変更する指示を、管理者端末３０から受信したかどうか判断する（Ｓ２０４）。所定条件を変更する指示を、管理者端末３０から受信していないと判断された場合は（Ｓ２０４：ＮＯ）、ステップＳ２０６へ移行する。
【００７８】
制御部２１は、所定条件を変更する指示を、管理者端末３０から受信したと判断した場合は（Ｓ２０４：ＹＥＳ）、指示に基づいて所定条件を変更し、変更後の所定条件をサーバー２０へ送信して記憶部２３に記憶された所定条件を変更後の所定条件に更新する。
【００７９】
制御部２１は、サーバー２０から、現在設定されている所定条件を受信し、温湿度、対応記録、および活動量に基づいて、所定条件を満たすかどうか判定する（Ｓ２０６）。制御部２１は、所定条件を満たさないと判断した場合は（Ｓ２０６：ＮＯ）、処理を終了する。
【００８０】
制御部２１は、所定条件を満たすと判断した場合は（Ｓ２０６：ＹＥＳ）、対象者７０が熱中症にかかる可能性が高いという警告の通知を、管理者端末３０またはスタッフ端末４０へ送信する（Ｓ２０７）。
【００８１】
本発明に係る実施形態は以下の効果を奏する。
【００８２】
対象者の周囲環境の温湿度と、対応者への対応記録とに基づいて、所定条件を満たすかどうか判断し、当該所定条件を満たすと判断した場合に、対象者に関する警告を通知する。これにより、対象者ごとの状態に応じて、適切かつ効果的に熱中症予防ができる。
【００８３】
さらに、見守り対象者の活動量をさらに取得し、温湿度、対応記録、および活動量に基づいて、所定条件を満たすかどうかを判断する。これにより、見守り対象者ごとの状態をより詳細に考慮して、より適切かつ効果的に熱中症予防ができる。
【００８４】
さらに、対応記録として、対象者の水分摂取量、排尿量、排便量、および体温の少なくともいずれかの記録が含める。これにより、熱中症と比較的密接に関連する対応記録を考慮して、さらに適切かつ効果的に熱中症予防ができる。
【００８５】
さらに、ユーザーの指示に基づいて、所定条件を変更する。これにより、過去の熱中症予防効果を考慮すること等により、さらに熱中症予防効果を向上できる。
【００８６】
以上に説明した見守りシステムの構成は、上述の実施形態の特徴を説明するにあたって主要構成を説明したのであって、上述の構成に限られず、特許請求の範囲内において、種々改変することができる。また、一般的な見守りシステムが備える構成を排除するものではない。
【００８７】
例えば、実施形態においては、検出部１０が撮影画像に基づいて人シルエットを検出し、サーバー２０は検出部１０から人シルエットの画像を受信している。しかし、サーバー２０は、検出部１０から人シルエットの画像を受信せず、撮影画像に基づいて、人シルエットを検出してもよい。
【００８８】
また、サーバー２０が有する機能を、管理者端末３０、または検出部１０が備えるようにしてもよい。
【００８９】
また、検出部１０、サーバー２０、管理者端末３０およびスタッフ端末４０は、それぞれ複数の装置により構成されてもよく、いずれか複数の装置が単一の装置として構成されてもよい。
【００９０】
また、上述したフローチャートは、一部のステップを省略してもよく、他のステップが追加されてもよい。また各ステップの一部は同時に実行されてもよく、一つのステップが複数のステップに分割されて実行されてもよい。
【００９１】
また、上述した実施形態に係る見守りシステム１における各種処理を行う手段および方法は、専用のハードウェア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【符号の説明】
【００９２】
１  見守りシステム、
１０  検出部、
１１  制御部、
１２  通信部、
１３  カメラ、
１４  温湿度測定部、
１５  体動センサー、
２０  サーバー、
２１  制御部、
２２  通信部、
２３  記憶部、
３０  管理者端末
３１  制御部、
３２  通信部、
３３  表示部、
３４  入力部、
４０  スタッフ端末、
４１  制御部
４２  無線通信部
４３  表示部、
４４  入力部、
４５  音声入出力部、
５０  ネットワーク、
６０  ベッド、
７０  対象者、
８０  スタッフ、
９０  管理者。
【図１】
2020052806.tif 000003
【図２】
2020052806.tif 000004
【図３】
2020052806.tif 000005
【図４】
2020052806.tif 000006
【図５】
2020052806.tif 000007
【図６】
2020052806.tif 000008
【図７】
2020052806.tif 000009
【図８】
2020052806.tif 000010
【図９】
2020052806.tif 000011
【図１０】
2020052806.tif 000012